(57)【要約】【課題】葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置を提供する。【解決手段】コンテナ型柩安置装置１の内部に多数の柩Ｐを並べて載置する柩格納棚２を複数段に設け、該複数段の柩格納棚２の各中間を左右に分離し、該中間部分において柩Ｐを載せて昇降する昇降機構３を備える。昇降機構３に載せた柩Ｐを柩格納棚２の左右各段に入庫可能にした搬送機構４を当該柩格納棚２及び昇降機構３に設け、昇降機構３の最下降位置にて開閉扉５を備えて外壁となす。柩格納棚２の各段には予め空きスペースＳを常時設け、目的の柩Ｐを取り出す際には、搬送機構４と昇降機構３を連動して空きスペースＳに目的以外の柩Ｐを移動退避し、開閉扉５から目的の柩Ｐのみを取り出し可能にする。【選択図】図２
2019146736.tif 000002
【特許請求の範囲】
【請求項１】
葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置１であって、
該コンテナ型柩安置装置１は、
その内部に多数の柩Ｐを並べて載置する柩格納棚２が複数段に設けられ、
該複数段の柩格納棚２の各中間が左右に分離され、該中間部分において柩Ｐを載せて昇降させる昇降機構３を備え、
該昇降機構３に載せられた柩Ｐを柩格納棚２の左右各段に入庫可能にした搬送機構４が当該柩格納棚２及び昇降機構３に設けられ、
前記昇降機構３の最下降位置にて開閉扉５を備えて外壁となすと共に、
前記柩格納棚２の各段には、予め空きスペースＳが常時設けられており、目的の柩Ｐを取り出す際には、前記搬送機構４と昇降機構３を連動させて、空きスペースＳに目的以外の柩Ｐを移動退避させることで前記開閉扉５から目的の柩Ｐのみを取り出し可能にしてなることを特徴とするコンテナ型柩安置装置。
【請求項２】
前記搬送機構４と昇降機構３は、自動制御装置によって互いに連動して駆動され、前記開閉扉５の近傍には、呼び出したい前記柩Ｐを当該開閉扉５位置まで移動させるためのスイッチボタンを備えていることを特徴とする請求項１に記載のコンテナ型柩安置装置。
【請求項３】
前記搬送機構４は、前記柩格納棚２及び昇降機構３に設置された駆動源によって回転するスプロケットと、該両スプロケット間に係回されたエンドレスチェーンと、該エンドレスチェーンによって回転するコロコンローラとを備えてなることを特徴とする請求項１又は２に記載のコンテナ型柩安置装置。
【請求項４】
前記昇降機構３は、前記柩格納棚２の中間部分下方に設置されたリフト装置３ｂと、該リフト装置３ｂの上端に設置された昇降台３ａとを備え、前記柩Ｐを載せた昇降台３ａを前記複数段の柩格納棚２の何れかの段に隣接移動させ、前記搬送機構４により柩格納棚２に入庫移送させることを特徴とする請求項１又は２に記載のコンテナ型柩安置装置。
【請求項５】
前記コンテナ型柩安置装置１の外壁には、内部温度を５〜１０℃に保つための常時運転可能な空調設備６を備えていることを特徴とする請求項１乃至４のいずれかに記載のコンテナ型柩安置装置。
【請求項６】
前記空調設備６には、除菌・消臭用の噴霧状の樹木エキスを常時所定時間だけ散布するための除菌型消臭装置を備えていることを特徴とする請求項５に記載のコンテナ型柩安置装置。
【発明の詳細な説明】
【技術分野】
【０００１】
本発明は、葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置に関する。
【背景技術】
【０００２】
近年、高齢者人口の増加に伴い、都会地では火葬場のラッシュが予想され、葬儀から火葬までの待ち時間が長期化している傾向にある。しかも、一人暮らしの高齢者の人口も増えており、天国へ飛び立つ時期が訪れた際には、葬儀屋は、遺体の一時預かりのための安置所を探さなくてはならない。また、葬儀が終えて火葬するまでは、大安・友引を避けると約１週間か５日間しかない。ましてや大安や友引を避けるため、２〜３日は必ず待たなくてはならない。そこで遺体を一時的に預かるための安置所を設置する必要性が生じる。
【０００３】
また、遺体を例えば埼玉県・千葉県・茨城県などの指定工場の空き倉庫まで輸送して、また火葬場まで運んでくる場合、特に夏期においては、当該遺体は腐るので、冷房管理しなければならなない。そこで、従来では、冷蔵施設を備えた保冷庫で遺体を一時保管することも最近では多くなってきている。
【０００４】
例えば、上記したような冷蔵施設を備えた遺体保冷庫として、例えば特許文献１に開示されているように、遺体収容室内へのご遺体の安置された柩の搬入や、遺体収容室内からのご遺体の安置された柩の搬出を極めて容易に行うことができる遺体保冷庫が提案されている。
【０００５】
すなわち、上記遺体保冷庫は、保冷庫の筐体の長手方向に沿った一側面に開口部を有し、柩内に遺体を安置したままで収容可能な遺体収容室と、遺体収容室内を冷却するための冷凍機と、遺体収容室の開口部を開閉可能に覆い、開口部の下端部に回動可能に枢支され、開放時には略水平状態に支持される開閉扉と、遺体収容室の底面に配設された第１コンベアユニットと、開閉扉の内面に配設された第２コンベアユニットと、第１コンベアユニットに配設され、遺体収容室の奥行き方向に沿って柩を進退移動可能な柩移動補助機構とを備えている。
【先行技術文献】
【特許文献】
【０００６】
【特許文献１】特開２０１７−２９３２５号公報
【発明の概要】
【発明が解決しようとする課題】
【０００７】
しかしながら、上記した特許文献１による遺体保冷庫は、遺体収容室内にご遺体の安置された柩を多くとも３基を収容可能な保冷庫であり、例えば１５以上の大量の柩を収容する場合には、上記遺体保冷庫の遺体収容室の収容面積を確保しなければならない。
【０００８】
また、この遺体保冷庫の遺体収容室に、例えば１５以上の大量の柩が収容可能とした場合であっても、遺体収容室の奥行き方向に沿って柩が順次収容されることから、所定の火葬場に移送するために、遺体収容室から奥側にある目的の柩のみを取り出すことは困難となる。
【０００９】
そこで、本発明は叙上のような従来存した諸事情に鑑み創出されたもので、葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置を提供する。
【００１０】
例えば１５以上の大量の柩（葬儀後の柩）を容易に収容することができ、来る火葬の期日までに故人の尊厳を損なうことなく安心して保管でき、更に、所定の火葬場に移送するために大量の柩のうち目的の柩のみを容易に取り出すことが可能となり、尚且つ柩の出し入れが簡単で管理者１名であっても容易に管理できるようにしたコンテナ型柩安置装置を提供することを目的とする。
【課題を解決するための手段】
【００１１】
上述した課題を解決するために、本発明にあっては、葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置１であって、該コンテナ型柩安置装置１は、その内部に多数の柩Ｐを並べて載置する柩格納棚２が複数段に設けられ、該複数段の柩格納棚２の各中間が左右に分離され、該中間部分において柩Ｐを載せて昇降させる昇降機構３を備え、該昇降機構３に載せられた柩Ｐを柩格納棚２の左右各段に入庫可能にした搬送機構４が当該柩格納棚２及び昇降機構３に設けられ、前記昇降機構３の最下降位置にて開閉扉５を備えて外壁となすと共に、前記柩格納棚２の各段には、予め空きスペースＳが常時設けられており、目的の柩Ｐを取り出す際には、前記搬送機構４と昇降機構３を連動させて、空きスペースＳに目的以外の柩Ｐを移動退避させることで前記開閉扉５から目的の柩Ｐのみを取り出し可能にしてなることを特徴とする。
【００１２】
前記搬送機構４と昇降機構３は、自動制御装置によって互いに連動して駆動され、前記開閉扉５の近傍には、呼び出したい前記柩Ｐを当該開閉扉５位置まで移動させるためのスイッチボタンを備えていることを特徴とする。
【００１３】
前記搬送機構４は、前記柩格納棚２及び昇降機構３に設置された駆動源によって回転するスプロケットと、該両スプロケット間に係回されたエンドレスチェーンと、該エンドレスチェーンによって回転するコロコンローラとを備えてなることを特徴とする。
【００１４】
前記昇降機構３は、前記柩格納棚２の中間部分下方に設置されたリフト装置３ｂと、該リフト装置３ｂの上端に設置された昇降台３ａとを備え、前記柩Ｐを載せた昇降台３ａを前記複数段の柩格納棚２の何れかの段に隣接移動させ、前記搬送機構４により柩格納棚２に入庫移送させることを特徴とする。
【００１５】
前記コンテナ型柩安置装置１の外壁には、内部温度を５〜１０℃に保つための常時運転可能な空調設備６を備えていることを特徴とする。
【００１６】
前記空調設備６には、除菌・消臭用の噴霧状の樹木エキスを常時所定時間だけ散布するための除菌型消臭装置を備えていることを特徴とする。
【発明の効果】
【００１７】
本発明によれば、葬儀後の火葬するまでの間あるいは葬儀後の火葬場へ移送するまでの間の任意の時間帯に、遺体を収納した多数の柩を一時的に保管・保存しておくための内部を一定温度に保つ設備をもつ運搬可能なコンテナ型柩安置装置を提供することができる。
【００１８】
すなわち、本発明では、コンテナ型柩安置装置１の内部に多数の柩Ｐを並べて載置する柩格納棚２が複数段に設けられ、該複数段の柩格納棚２の各中間が左右に分離され、該中間部分において柩Ｐを載せて昇降させる昇降機構３を備え、該昇降機構３に載せられた柩Ｐを柩格納棚２の左右各段に入庫可能にした搬送機構４が当該柩格納棚２及び昇降機構３に設けられ、前記昇降機構３の最下降位置にて開閉扉５を備えて外壁となすと共に、前記柩格納棚２の各段には、予め空きスペースＳが常時設けられており、目的の柩Ｐを取り出す際には、前記搬送機構４と昇降機構３を連動させて、空きスペースＳに目的以外の柩Ｐを移動退避させることで前記開閉扉５から目的の柩Ｐのみを取り出し可能にしてなるので、例えば１５以上の大量の柩（葬儀後の柩）を容易に収容することができ、来る火葬の期日までに故人の尊厳を損なうことなく安心して保管でき、更に、所定の火葬場に移送するために大量の柩のうち目的の柩のみを容易に取り出すことが可能となり、また、場所を選ばず、都会地でも設置が可能で、火葬場の近辺に設置すれば柩の輸送にも時間が掛からない。
【００１９】
前記搬送機構４と昇降機構３は、自動制御装置によって互いに連動して駆動され、前記開閉扉５の近傍には、呼び出したい前記柩Ｐを当該開閉扉５位置まで移動させるためのスイッチボタンを備えているので、柩の出し入れが簡単で管理者１名であっても容易に管理することがきる。
【００２０】
前記搬送機構４は、前記柩格納棚２及び昇降機構３に設置された駆動源によって回転するスプロケットと、該両スプロケット間に係回されたエンドレスチェーンと、該エンドレスチェーンによって回転するコロコンローラとを備えてなるので、前記搬送機構４と昇降機構３を連動させることにより、前記柩格納棚２の空きスペースＳに目的以外の柩Ｐを容易に移動退避させることができ、前記開閉扉５から目的の柩Ｐのみを迅速に取り出すことができる。
【００２１】
前記昇降機構３は、前記柩格納棚２の中間部分下方に設置されたリフト装置３ｂと、該リフト装置３ｂの上端に設置された昇降台３ａとを備え、前記柩Ｐを載せた昇降台３ａを前記複数段の柩格納棚２の何れかの段に隣接移動させ、前記搬送機構４により柩格納棚２に入庫移送させるので、昇降機構３を介しての柩の入庫や取り出しがスムーズに行える。
【００２２】
前記コンテナ型柩安置装置１の外壁には、内部温度を５〜１０℃に保つための常時運転可能な空調設備６を備えているので、火葬の待ち時間が来るまで、柩に納められた遺体の腐敗を未然に防止することができる。
【００２３】
前記空調設備６には、除菌・消臭用の噴霧状の樹木エキスを常時所定時間だけ散布するための除菌型消臭装置を備えているので、内部に臭気（死臭）が充満してしまうのを確実に防止することができる。
【図面の簡単な説明】
【００２４】
【図１】本発明を実施するための一形態におけるコンテナ型柩安置装置を示す斜視図である。
【図２】同じくコンテナ型柩安置装置の正面図である。
【図３】同じくコンテナ型柩安置装置の内部構成を上方から視た断面図である。
【図４】同じくコンテナ型柩安置装置の内部構成を正面から視た断面図である。
【図５】同じくコンテナ型柩安置装置の内部構成を側面から視た断面図である。
【図６】同じくコンテナ型柩安置装置の内部構成を示す一部切欠斜視図である。
【発明を実施するための形態】
【００２５】
以下、図面を参照して本発明の実施の一形態を詳細に説明する。本実施形態のコンテナ型柩安置装置１は、図１及び図２に示すように、外装に断熱材を施して外部との熱伝導を抑止し、正面側中央下部に観音開き状の開閉扉５を備えて外壁となす、例えば高さ約３ｍ、横幅約２〜３ｍ、長さ約６ｍ程度の横長箱状の可搬式のユニットであるコンテナとなって構成されている。
【００２６】
コンテナ型柩安置装置１の内部は、図３乃至図６に示すように、例えば５基等の多数の柩Ｐを並列状となって並べて載置する柩格納棚２が例えば上中下３段等の複数段に設けられ、該複数段の柩格納棚２の各中間部分が左右に分離され（合計６個の棚に分割）、この中間部分には、柩Ｐを載せて昇降させる昇降機構３を備えている。
【００２７】
前記昇降機構３は、前記柩格納棚２の中間部分下方（コンテナ型柩安置装置１の中央内底面上）に設置されたリフト装置３ｂと、該リフト装置３ｂの上端に設置され、１基の柩Ｐが載せられる面積を有する昇降台３ａとを備えている。
【００２８】
前記昇降機構３は、後述する自動制御装置によって昇降台３ａを前記複数段の柩格納棚２の何れかの段に隣接移動させることができ、昇降台３ａに載せた柩Ｐを、後述する搬送機構４により柩格納棚２の左右各段に入庫移送できるものとなっている。
【００２９】
なお、前記開閉扉５は、昇降機構３の最下降位置におけるコンテナ型柩安置装置１の外壁に設けられ、柩Ｐをその長さ方向に沿って入出させる。
【００３０】
上記左右両側の各段の柩格納棚２、及び昇降機構３の昇降台３ａには、搬送機構４が設けられ、昇降台３ａに載せられた柩Ｐを柩格納棚２の左右各段の奥側に順次入庫させる。すなわち、例えば、搬送機構４としては、前記柩格納棚２及び昇降機構３に駆動源（図示省略）が各設置され、該駆動源によって回転するスプロケットと、該両スプロケット間に係回されたエンドレスチェーンと、該エンドレスチェーンによって回転するコロコンローラとを備えてなる。
【００３１】
前記柩格納棚２の各段には、予め空きスペースＳ（図中では柩Ｐの２基相当分）が常時設けられており、目的の柩Ｐを取り出す際には、前記搬送機構４と昇降機構３を不図示の自動制御装置によって互いに連動して駆動させて、空きスペースＳに目的以外の柩Ｐを移動退避させることで前記開閉扉５から目的の柩Ｐのみを取り出し可能にしてある。
【００３２】
前記観音開き状の開閉扉５の近傍には、呼び出したい柩Ｐを前記昇降機構３によって開閉扉５位置まで移動させるための柩Ｐ選択用のスイッチボタン（図示省略）を備えている。また、開閉扉５の外側は、例えば宗教的伽藍によって装飾された礼拝堂造りとなしても良い。
【００３３】
前記コンテナ型柩安置装置１の外壁には、当該装置内部の温度を例えば約５〜１０℃に保つための常時運転可能な空調設備６（冷房装置）が設置され、更に、この空調設備６には、除菌・消臭用の噴霧状の樹木エキスである、例えば遺体の内部を濡らさない「なからっぽ（登録商標）」なる霧剤を常時所定時間だけ散布するための除菌型消臭装置を備えている。
【００３４】
また、前記開閉扉５の高さは、霊柩車の後部扉側と略同じ高さとなっており、開放した開閉扉５側に霊柩車の後部扉側を近接移動させ、霊柩車に乗せられている柩Ｐを前記昇降台３ａにスムーズに移載できるようにしてある。また、柩Ｐを火葬場へ運ぶ際には、前記昇降台３ａに載置されている柩Ｐを、開放されている開閉扉５側に移動させた霊柩車の後部扉からスムーズに乗せることができるようにしてある。
【００３５】
このように上記構成によるコンテナ型柩安置装置１は、前記開閉扉５を開放して前記各段の柩格納棚２毎に柩Ｐを保管可能とするコンテナ式となっている。しかも、目的の柩Ｐ（遺体）を運び出したい場合には、スイッチボタンの操作で前記搬送機構４と昇降機構３を不図示の自動制御装置によって互いに連動して駆動させ、空きスペースＳに目的以外の柩Ｐを移動退避させることで前記開閉扉５から目的の柩Ｐを取り出すこととなる。
【００３６】
次に、以上のように構成された形態についての使用の一例について説明すると、図２又は図４に示すように、葬儀後に霊柩車によって運ばれてきた柩Ｐをコンテナ型柩安置装置１に保管する場合、先ず、開閉扉５を開放し、霊柩車の後部扉側をこの開放口に近接移動させておく。
【００３７】
そして、スイッチボタンの押操作によって昇降機構３を作動させ、昇降台３ａを開閉扉５位置まで移動させる。
【００３８】
次に、霊柩車の後部扉を開けて、霊柩車に乗せられている柩Ｐを上記昇降台３ａに載せた後、再度、スイッチボタンを押操作して、柩Ｐを載せた昇降台３ａを上方へ移動させて、当該昇降台３ａを前記複数段の柩格納棚２の何れかの段に隣接移動させる。そして、昇降台３ａに載せた柩Ｐは、前記搬送機構４により空きスペースＳ側に柩Ｐが順次退避させられるようにして柩格納棚２に入庫される。
【００３９】
火葬の期日が到来し、柩Ｐを火葬場へ運ぶ際には、先ず開閉扉５を開放し、霊柩車の後部扉側をこの開放口に近接移動させ、霊柩車の後部扉を開けておく。
【００４０】
スイッチボタンの押操作によって前記搬送機構４と昇降機構３を互いに連動して駆動させ、空きスペースＳに目的以外の柩Ｐを移動退避させることで前記開閉扉５から目的の柩Ｐを取り出す。
【００４１】
例えば、図４において、前記複数段の柩格納棚２のうちの上段の右側の奥に載せてある５番目の柩Ｐを取り出したい場合には、昇降台３ａを上段の柩格納棚２に隣接移動させておき、柩格納棚２及び昇降台３ａの搬送機構４の連動駆動により、３番目と４番目と５番目の柩Ｐを同時に左方向に移動させる。このとき上段左側の柩格納棚２の奥側には２基分の柩Ｐの空きスペースＳがあるため、上段左側の柩格納棚２に元々あった１番目と２番目の柩Ｐはこの空きスペースＳ側に順次移動して退避する。このため、上段右側の柩格納棚２の３番目と４番目の柩Ｐは、上段左側の柩格納棚２側に移動させることができ、これによって後続の目的とする５番目の柩Ｐが昇降台３ａ上に移載される。そして、昇降台３ａを開閉扉５位置まで移動させて前記開閉扉５から目的の柩Ｐを取り出す。
【００４２】
また、図４において、前記複数段の柩格納棚２のうちの中段の左側の空きスペースＳ手前に載せてある６番目の柩Ｐを取り出したい場合には、昇降台３ａを中段の柩格納棚２に隣接移動させておき、柩格納棚２及び昇降台３ａの搬送機構４の連動駆動により、６番目と７番目の柩Ｐを同時に右方向に移動させ、７番目の柩Ｐを昇降台３ａに載せる。そして、昇降台３ａを下降させて下段の柩格納棚２に隣接移動させ、柩格納棚２及び昇降台３ａの搬送機構４の連動駆動により、下段の柩格納棚２に元々あった１１番目と１２番目の柩Ｐを同時に左方向に移動させる。このとき下段左側の柩格納棚２の奥側には２基分の柩Ｐの空きスペースＳがあるため、１１番目と１２番目の柩Ｐはこの空きスペースＳ側に順次移動して退避する。このため、昇降台３ａに載せてある７番目の柩Ｐは下段左側の柩格納棚２に移載される。その後、空き状態となった昇降台３ａを再度上昇させて中段の柩格納棚２に隣接移動させ、柩格納棚２及び昇降台３ａの搬送機構４の連動駆動により、中段左側の柩格納棚２にある目的とする６番目の柩Ｐが昇降台３ａ上に移載される。そして、昇降台３ａを開閉扉５位置まで移動させて前記開閉扉５から目的の柩Ｐを取り出す。
【００４３】
以上説明したように、本実形態では、例えば１５以上の大量の柩（葬儀後の柩）を容易に収容することができ、来る火葬の期日までに故人の尊厳を損なうことなく安心して保管でき、更に、所定の火葬場に移送するために大量の柩のうち目的の柩のみを容易に取り出すことが可能となり、尚且つ柩の出し入れが簡単で管理者１名であっても容易に管理できることとなる。
【符号の説明】
【００４４】
Ｐ…柩
Ｓ…空きスペース
１…コンテナ型柩安置装置
２…柩収納棚
３…昇降機構
３ａ…昇降台
３ｂ…リフト装置
４…搬送機構
５…開閉扉
６…空調設備
【図１】
2019146736.tif 000003
【図２】
2019146736.tif 000004
【図３】
2019146736.tif 000005
【図４】
2019146736.tif 000006
【図５】
2019146736.tif 000007
【図６】
2019146736.tif 000008